(57)【要約】【課題】使用時と不使用時との使い分けが容易かつ長期の保存が可能で経済的であり、搬送性が良好でさらには周囲の汚染を回避でき、長期の保存が可能な造花スタンド及びその使用方法を提供する。【解決手段】外盤の表面に沿って多数の造花を立設可能に構成された造花スタンドにおいて、前記外盤を一側が開口された薄肉筒状体に形成するとともに造花の茎状部が遊挿される多数の挿入孔を穿設し、外盤の内部には造花の端部を案内する複数のガイド部材を設け、造花を挿入孔を介してガイド部材の案内により外盤の表面に対して起立横臥可能に構成する。【選択図】      図２
2004244753.tif 000002
【特許請求の範囲】
【請求項１】
外盤の表面に沿って多数の造花を立設可能に構成された造花スタンドにおいて、前記外盤を一側が開口された薄肉筒状体に形成するとともに前記造花の茎状部が遊挿される多数の挿入孔を穿設し、前記外盤の内部には造花の端部を案内する複数のガイド部材を設け、造花を前記挿入孔を介してガイド部材の案内により外盤の表面に対して起立、横臥可能に構成してなることを特徴とする造花スタンド。
【請求項２】
前記外盤を下部側が拡開される薄肉筒状体に形成し、前記挿入孔を前記造花の横臥方向が長くなるような形状の長孔に形成したことを特徴とする請求項１記載の造花スタンド。
【請求項３】
前記外盤の内部に垂直方向に立設された芯柱を設け、該芯柱の高さ方向に複数のライン盤を固着し、該ライン盤の夫々と前記外盤の内面との間に前記複数のガイド部材を架設し、各ガイド部材毎に前記造花の端部を該ガイド部材に沿って移動可能に取り付け、前記造花の端部を前記挿入孔を介して該ガイド部材に沿って移動させることにより該造花を起立、横臥せしめるように構成したことを特徴とする請求項１記載の造花スタンド。
【請求項４】
前記芯柱を前記外盤のほぼ中央に立設して前記複数のライン盤毎に複数個の前記ガイド部材を放射状に取り付け、各ガイド部材に複数個の前記造花を複数個の連結部材を介して該ガイド部材に沿ってそれぞれ移動可能に取り付けたことを特徴とする請求項３記載の造花スタンド。
【請求項５】
前記造花の端部に鍵状の係合部を形成するとともに、前記連結部材をリング状に形成して前記ガイド部材に移動可能に嵌合し、該リング状の連結部材に前記造花の係合部を係合して、該造花の係合部を該リング状の連結部材とともに該ガイド部材に沿って移動せしめるように構成したことを特徴とする請求項４記載の造花スタンド。
【請求項６】
一側が開口された薄肉筒状体の外盤に穿設された多数の挿入孔に造花を遊挿してなる造花スタンドの使用方法において、前記造花スタンドの使用時には前記造花の端部を前記外盤の内部に設けられた複数のガイド部材に沿って開方向に移動させて該造花を前記外盤の表面に対して起立させ、前記造花スタンドの不使用時には前記造花の端部を前記ガイド部材に沿って閉方向に移動させて該造花を前記外盤の表面に対して横臥させることを特徴とする造花スタンドの使用方法。
【発明の詳細な説明】
【０００１】
【発明の属する技術分野】
本発明は、葬祭用造花等に適用され、外盤の表面に沿って多数の造花を立設した造花スタンド及びその使用方法に関する。
【０００２】
【従来の技術】
葬祭時に、祭壇あるいは祭壇の周囲に飾る盛花スタンドは、通常、バケツ内に収納した吸水性のスポンジあるいは含水した発泡スチロールからなる生花支持体に挿した多数の生花が集合した組立体にて構成されている。
そして、該盛花スタンドの使用後においては、前記生花を生花支持体から抜き出して廃棄するとともに、生花支持体の水を外部に排出している。
【０００３】
また、特許文献１（特開２０００−１２９５２１公報）には、台座と該台座の上面に立ち上がり状に設けた複数の擬茎体とを有し、前記擬茎体の基端部は台座に対して回動自在あるいは揺動自在に枢着されているとともに、各擬茎体の拡開位置は所定位置に予め設定されており、該擬茎体を上下方向に集合状の折り畳み姿勢と拡開状の使用姿勢との間で変姿自在に構成された造花が開示されている。
【０００４】
【特許文献１】
特開２０００−１２９５２１公報
【０００５】
【発明が解決しようとする課題】
生花を用いた従来の盛花スタンドにあっては、盛花スタンドの使用後には多数の生花を生花支持体から抜き出して廃棄するため、盛花の保存ができず不経済であり、多数の生花からの花びらや葉の落下、生花支持体の排出水等により周囲が汚染される。
また、前記盛花スタンドの搬送時には、多数の生花を起立状態で固定したまま該盛花スタンドを搬送しなければならず、搬送作業が煩雑で低能率である。
【０００６】
また、前記特許文献１に開示されている造花は多数の生花を用いた前記盛花スタンドのような不具合は回避できるが、複数の擬茎体を台座と該台座の上面に立ち上がり状に設け、前記擬茎体の基端部を台座に対して回動自在あるいは揺動自在に枢着しているにとどまるため、擬茎体が不安定で型崩れし易く、多数の造花を備えた大型の造花スタンドには不適である。
また、搬送時には使用時と略同様な形態で搬送するため、搬送が煩雑で低能率である。
等の問題点を有している。
【０００７】
本発明はかかる従来技術の課題に鑑み、使用時と不使用時との使い分けが容易かつ長期の保存が可能で経済的であり、搬送性が良好でさらには周囲の汚染を回避でき、長期の保存が可能な造花スタンド及びその使用方法を提供することを目的とする。
【０００８】
【課題を解決するための手段】
本発明はかかる目的を達成するもので、その第１発明は、外盤の表面に沿って多数の造花を立設可能に構成された造花スタンドにおいて、前記外盤を一側が開口された薄肉筒状体に形成するとともに前記造花の茎状部が遊挿される多数の挿入孔を穿設し、前記外盤の内部には前記造花の端部を案内する複数のガイド部材を設け、前記造花を前記挿入孔を介して前記ガイド部材の案内により前記外盤の表面に対して起立、横臥可能に構成してなることを特徴とする。
【０００９】
第２発明は、前記第１発明に係る造花スタンドを使用する方法に係り、一側が開口された薄肉筒状体の外盤に穿設された多数の挿入孔に造花を遊挿してなる造花スタンドの使用方法において、前記造花スタンドの使用時には前記造花の端部を前記外盤の内部に設けられた複数のガイド部材に沿って開方向に移動させて該造花を前記外盤の表面に対して起立させ、前記造花スタンドの不使用時には前記造花の端部を前記ガイド部材に沿って閉方向に移動させて該造花を前記外盤の表面に対して横臥させることを特徴とする。
【００１０】
かかる発明において好ましくは、前記外盤を下部側が拡開される薄肉筒状体に形成し、前記挿入孔を前記造花の横臥方向が長くなるような形状の長孔に形成する。
【００１１】
また、かかる発明において好ましくは、前記外盤の内部に垂直方向に立設された芯柱を設け、該芯柱の高さ方向に複数のライン盤を固着し、該ライン盤の夫々と前記外盤の内面との間に前記複数のガイド部材を架設し、各ガイド部材毎に前記造花の端部を該ガイド部材に沿って移動可能に取り付け、前記造花の端部を前記挿入孔を介して該ガイド部材に沿って移動させることにより該造花を起立、横臥せしめるように構成する。
【００１２】
また、かかる発明において好ましくは、前記芯柱を前記外盤のほぼ中央に立設して前記複数のライン盤毎に複数個の前記ガイド部材を放射状に取り付け、各ガイド部材に複数個の前記造花を複数個の連結部材を介して該ガイド部材に沿ってそれぞれ移動可能に取り付ける。
【００１３】
また、かかる発明において好ましくは、前記造花の端部に鍵状の係合部を形成するとともに、前記連結部材をリング状に形成して前記ガイド部材に移動可能に嵌合し、該リング状の連結部材に前記造花の係合部を係合して、該造花の係合部を該リング状の連結部材とともに該ガイド部材に沿って移動せしめるように構成する。
【００１４】
かかる発明によれば、造花スタンドの使用時には、下部側が拡開される薄肉筒状体からなる外盤の外部に露出している前記各造花の露出部を把持して該造花を長孔からなる挿入孔廻りに開方向に回動させると、該造花の端部に形成された鍵状の係合部が該係合部に連結されたリング状の連結部材とともに、外盤のほぼ中央に立設されている芯柱の高さ方向に沿って固着された複数のライン盤と外盤の内面との間に放射状に架設された複数個の前記ガイド部材に案内されて、該造花の開方向つまり前記係合部及び連結部材が中央側に寄る方向に移動せしめられる。
これによって、前記造花の露出部が前記外盤の表面から離れて該外盤の表面に対して起立せしめられ、葬祭等の使用に供せられる。
【００１５】
一方、前記造花スタンドの不使用時には、前記外盤の外部に露出している各造花の露出部を把持して該造花を前記挿入孔廻りに閉方向つまり前記使用時とは逆方向に回動させると、該造花端部の係合部がリング状の連結部材とともに、複数個の前記ガイド部材に案内されて該造花の閉方向、つまり前記係合部及び連結部材が外盤側に寄る方向に移動せしめられる。
かかる造花端部の移動によって、前記造花の露出部が前記外盤の表面側に寄り、該外盤の表面に対して横臥せしめられて、外形が幅方向に縮小せしめられる。
これにより、造花が主として幅方向に折り畳まれて収納箱に容易に収納可能となって、該収納箱に収納した状態で搬送可能となる。
【００１６】
従ってかかる発明によれば、造花スタンドの使用時には、各造花の露出部を把持して該造花を挿入孔廻りに開方向に回動させるのみで、造花を外盤の表面に対して起立せしめて葬祭等の使用に供することができるとともに、該造花スタンドの不使用時には、各造花の露出部を把持して該造花を挿入孔廻りに閉方向に回動させるのみで、該造花を外盤の表面に対して横臥せしめて外形を幅方向に縮小して折り畳み、収納箱に容易に収納することができる。
【００１７】
このように、ワンタッチで造花の露出部を移動させることにより造花スタンドを使用と不使用とに使い分けることができるとともに、不使用には折り畳み収納箱に収納することにより、該造花スタンドを容易に搬送することができる。また、前記のように不使用時に造花スタンドを折り畳み収納箱に収納し該収納箱を積載することにより、造花スタンドの多量搬送が可能となる。
また、造花であるので、従来の生花に比べて長期の保存が可能であり、生花のように水を使用しないので、使用後の処置が簡単であり、従来のもののような花びらや葉の落下等による周囲の汚染を回避できる。
さらに、外部から造花の露出部の補修ができるとともに、前記外盤の開口部から該外盤の内部に設置されている前記造花端部の係合部、リング状の連結部材、及びこれらの連結部の補修を容易に行うことができる。
【００１８】
【発明の実施の形態】
以下、本発明を図に示した実施例を用いて詳細に説明する。但し、この実施例に記載される構成部品の寸法、形状、その相対配置などは特に特定的な記載がない限り、この発明の範囲をそれのみに限定する趣旨ではなく単なる説明例に過ぎない。
【００１９】
図１の（Ａ）は本発明の実施例に係る葬祭用造花スタンドの構造を示す側面図、（Ｂ）は（Ａ）のＡ矢視図（正面図）である。図２の（Ａ）は図１（Ｂ）のＣ―Ｃ線断面図、（Ｂ）は図１（Ａ）のＢ矢視図（背面図）、（Ｃ）は（Ｂ）のＤ−Ｄ線断面図である。
図３（Ａ）は前記実施例におけるガイド部材及びその近傍を示す部分斜視図、（Ｂ）は（Ａ）におけるＺ部詳細図、（Ｃ）は造花の外観図、（Ｄ）は造花の起立、横臥の作用説明図である。図４は前記造花スタンドの不使用時における収納要領を示す説明図である。
【００２０】
本発明の実施例を示す図１〜図３において、１は薄肉の樹脂体からなる外盤で、背面側が開口されて下部側が拡開される薄肉筒状体に形成され、表面に沿って多数の造花挿入孔２が穿設されている。この造花挿入孔２は前記造花１０の横臥方向が長くなるような形状の長孔に形成されている。
１０は前記各造花挿入孔２内に茎状部が挿入された造花である。該造花１０は、後述するように、前記造花挿入孔２内に起立あるいは横臥可能に挿入されている。３は該外盤１の下方内部に着脱可能に設けられたバケツである。
【００２１】
６は前記外盤１の内部に設置されている前記バケツ３から垂直方向に立設された硬質樹脂材あるいは金属材からなる芯柱であり、該芯柱６には高さ方向に沿って固着された硬質樹脂板材あるいは金属板材からなる複数のライン盤７が固着されている。
８は前記各ライン盤７の夫々と前記外盤１の内面との間に架設された硬質樹脂線材あるいは金属線材からなる複数のガイド部材である。前記ガイド部材８は、図２（Ｃ）に示されるように、一端側を前記複数のライン盤７に固定され、該ライン盤７から放射状に延設されて他端側を前記外盤１の内面に固定されている。１２は前記ガイド部材８に遊嵌された複数のリング（連結部材）で、各リング１２には、前記各造花１０の端部に形成された鍵状の係合部１０ａが係合されている。９は前記外盤１の下部に該外盤１内を覆うように固着された底蓋である。４は前記外盤１の上部に着脱自在に取り付けられた名札立てである。
【００２２】
かかる構成からなる造花スタンドにおいて、該造花スタンドの使用時には、前記外盤１の外部に露出している各造花１０の露出部を把持して前記長孔からなる造花挿入孔２廻りに開方向に回動させると、図３（Ａ）、（Ｄ）に示されるように、該造花１０の端部に形成された鍵状の係合部１０ａが該係合部１０ａに連結されたリング１２とともに、前記ライン盤７と外盤１の内面との間に放射状に架設された複数個の前記ガイド部材８に案内されて該造花１０の開方向、つまり該係合部１０ａ及びリング１２が芯柱６側に寄る方向に移動せしめられる。
これによって、前記造花１０の露出部が前記外盤１の表面から離れて該外盤１の表面に対して起立せしめられ、葬祭等の使用に供せられる。
【００２３】
一方、前記造花スタンドの不使用時には、前記外盤１の外部に露出している各造花１０の露出部を把持して前記造花挿入孔２廻りに閉方向つまり前記使用時とは逆方向に回動させると、図３（Ｄ）に示されるように、該造花１０の係合部１０ａが該係合部１０ａに連結されたリング１２とともに、前記複数個の前記ガイド部材８に案内されて、該造花１０の閉方向つまり図のＺ矢に示されるように係合部１０ａ及びリング１２が外盤１側に寄る方向に移動せしめられる。
かかる造花１０端部（係合部１０ａ）の移動によって、前記造花１０が，図３（Ｄ）のＹ矢のように、前記造花挿入孔２の廻りに回動し、該造花１０の露出部が前記外盤１の表面側に寄って該外盤１の表面に対して横臥せしめられる。
【００２４】
図４は、前記造花１０が，前記のようにして造花挿入孔２の廻りに回動して前記外盤１の表面に対して起立した状態から、該外盤１の表面に対して横臥する過程を示す。
即ち、図４の（Ａ１）及び（Ｂ１）は前記造花１０の使用時つまり起立時における幅方向及び厚さ方向の状態を夫々示し、図４の（Ａ２）及び（Ｂ２）は、各造花１０が前記起立時から横臥されて、該起立時からＷ矢のように幅方向及びＸ矢のように厚さ方向に、収納箱２０の内側幅Ｓまで折り畳まれる過程を示している。そして、かかる過程で折り畳まれた造花組立品１００は前記収納箱２０内に容易に収納されて搬送可能な形態となる。
【００２５】
以上のように、かかる実施例によれば、ワンタッチで造花１０の露出部を移動させることにより造花スタンドを使用と不使用とに使い分けることができることとなる。従って該造花スタンドの不使用には、図４のように、造花１０を折り畳み収納箱２０に収納することにより、該造花スタンドを容易に搬送することができる。
また、前記のように不使用時に造花スタンドを折り畳み収納箱２０に収納し該収納箱２０を複数積載することにより、造花スタンドの多量搬送が可能となる。
【００２６】
【発明の効果】
以上記載のように本発明によれば、造花スタンドの使用時には、各造花の露出部を把持して該造花を挿入孔廻りに開方向に回動させるのみで、造花を外盤の表面に対して起立せしめて葬祭等の使用に供することができるとともに、該造花スタンドの不使用時には、各造花の露出部を把持して該造花を挿入孔廻りに閉方向に回動させるのみで、該造花を外盤の表面に対して横臥せしめて外形を縮小して折り畳み、収納箱に容易に収納することができる。
【００２７】
これにより、ワンタッチで造花の露出部を移動させることにより造花スタンドを使用と不使用とに使い分けることができるとともに、不使用時には折り畳み収納箱に収納することにより、該造花スタンドを容易に搬送することができる。また、前記のように不使用時に造花スタンドを折り畳み収納箱に収納し該収納箱を積載することにより、造花スタンドの多量搬送が可能となる。
また、造花であるので、従来の生花に比べて長期の保存が可能であり、生花のように水を使用しないので、使用後の処置が簡単であり、従来のもののような花びらや葉の落下等による周囲の汚染を回避できる。
さらに、外部から造花の露出部の補修ができるとともに、前記外盤の開口部から該外盤の内部に設置されている前記造花端部の係合部、リング状の連結部材、及びこれらの連結部の補修を容易に行うことができる。
【図面の簡単な説明】
【図１】（Ａ）は本発明の実施例に係る葬祭用造花スタンドの構造を示す側面図、（Ｂ）は（Ａ）のＡ矢視図（正面図）である。
【図２】（Ａ）は図１（Ｂ）のＣ−Ｃ線断面図、（Ｂ）は図１（Ａ）のＢ矢視図（背面図）、（Ｃ）は（Ｂ）のＤ−Ｄ線断面図である。
【図３】（Ａ）は前記実施例におけるガイド部材及びその近傍を示す部分斜視図、（Ｂ）は（Ａ）におけるＺ部詳細図、（Ｃ）は造花の外観図、（Ｄ）は造花の起立、横臥の作用説明図である。
【図４】前記造花スタンドの不使用時における収納要領を示す説明図である。
【符号の説明】
１      外盤
２      造花挿入孔
６      芯柱
７      ライン盤
８      ガイド部材
１０    造花
１０ａ  係合部
１２    リング（連結部材）
２０    収納箱
１００  造花組立品
【図１】
2004244753.tif 000003
【図２】
2004244753.tif 000004
【図３】
2004244753.tif 000005
【図４】
2004244753.tif 000006